(57)【特許請求の範囲】
【請求項１】
コンピュータに対して、
植えられている複数の樹木につき、植えられている場所を示す埋葬場所情報と、  これらの樹木のいずれかに対応して遺骨が埋葬された人または動物若しくはこれらの遺族、親族、飼い主または連絡先に関する連絡先情報と、  遺骨が埋葬された人または動物の没年月日、逝去年月日、命日、忌日、葬儀日または埋葬日に関する年月日情報を対応させて記憶する埋葬情報記憶手段に対して、
上記樹木を保管または育成する期間に関する期間情報を発生させ、
現在の年月日の現在情報を発生させ、
上記発生される期間情報と、上記発生される現在情報と、上記埋葬情報記憶手段から読み出した年月日情報とに基づき、当該現在情報が当該年月日情報から当該期間情報に応じた期間に達したかまたは経過したかを判断させ、
この判断結果に基づいて、上記埋葬情報記憶手段から対応する上記連絡先情報を読み出して出力させることを特徴とする埋葬情報処理方法。
【請求項２】
植えられている複数の樹木につき、植えられている場所を示す埋葬場所情報と、  これらの樹木のいずれかに対応して遺骨が埋葬された人または動物若しくはこれらの遺族、親族、飼い主または連絡先に関する連絡先情報と、  遺骨が埋葬された人または動物の没年月日、逝去年月日、命日、忌日、葬儀日または埋葬日に関する年月日情報を対応させて記憶する埋葬情報記憶手段に対して、
上記樹木を保管または育成する期間に関する期間情報を発生させる処理と、
現在の年月日の現在情報を発生させる処理と、
上記発生される期間情報と、上記発生される現在情報と、上記埋葬情報記憶手段から読み出した年月日情報とに基づき、当該現在情報が当該年月日情報から当該期間情報に応じた期間に達したかまたは経過したかを判断させる処理と、
この判断結果に基づいて、上記埋葬情報記憶手段から対応する上記連絡先情報を読み出して出力させる処理とを、コンピュータに実行させる埋葬情報処理のためのコンピュータプログラム。
【請求項３】
植えられている複数の樹木につき、植えられている場所を示す埋葬場所情報と、  これらの樹木のいずれかに対応して遺骨が埋葬された人または動物若しくはこれらの遺族、親族、飼い主または連絡先に関する連絡先情報と、  遺骨が埋葬された人または動物の没年月日、逝去年月日、命日、忌日、葬儀日または埋葬日に関する年月日情報を対応させて記憶する埋葬情報記憶手段と、
上記樹木を保管または育成する期間に関する期間情報を発生する期間発生手段と、
現在の年月日の現在情報を発生する現在情報発生手段と、
上記期間発生手段から発生される期間情報と、上記現在情報発生手段から発生される現在情報と、上記埋葬情報記憶手段から読み出した年月日情報とに基づき、当該現在情報が当該年月日情報から当該期間情報に応じた期間に達したかまたは経過したかを判断する期間判断手段と、
この期間判断手段の判断結果に基づいて、上記埋葬情報記憶手段から対応する上記連絡先情報を読み出して出力する連絡先出力手段とを備えたことを特徴とする埋葬情報処理装置。
【請求項４】
上記期間判断手段の判断結果に基づいて、上記埋葬情報記憶手段から対応する上記埋葬場所情報を出力し、当該対応する樹木を移転すべき情報を出力する移転前情報出力手段をさらに備えたことを特徴とする請求項３記載の埋葬情報処理装置。
【請求項５】
上記樹木につき、移転された当該樹木の移転場所を示す移転場所情報を記憶する移転情報記憶手段と、  この移転情報記憶手段から読み出した移転場所情報を、上記埋葬情報記憶手段に記憶された対応する連絡先情報に対応した連絡先に対して出力する移転後情報出力手段とをさらに備えたことを特徴とする請求項４記載の埋葬情報処理装置。
【請求項６】
上記移転情報記憶手段は、上記移転場所情報と上記連絡先情報とを対応させて記憶することを特徴とする請求項５記載の埋葬情報処理装置。
【請求項７】
上記移転情報記憶手段に上記移転場所情報と上記連絡先情報とが記憶されるとき、当該上記連絡先情報の当該記憶を判断する記憶判断手段と、  この記憶判断手段の判断結果に基づいて、上記埋葬情報記憶手段の当該連絡先情報及び年月日情報を消去することを特徴とする請求項６記載の埋葬情報処理装置。
【請求項８】
上記移転された樹木の近景または遠景を撮影する撮影手段と、  この撮影手段で撮影された画像情報を記憶する画像記憶手段と、  上記連絡先情報に対応した連絡先からのアクセスか否かを判断するアクセス判断手段とをさらに備え、  このアクセス判断手段の判断結果に基づいて、上記画像記憶手段へのアクセスを許可するアクセス許可手段とを備えたことを特徴とする請求項７記載の埋葬情報処理装置。
【発明の詳細な説明】
【技術分野】
【０００１】
本発明は、埋葬情報処理装置、埋葬情報処理方法及び埋葬情報提供のためのコンピュータプログラムに関し、特に樹木を使った埋葬に関する情報を処理する装置／方法／プログラムに関する。
【背景技術】
【０００２】
古来より、墓には遺骨などを埋葬、納めることが広く行われてきている。しかし、近年、年月が経過するにしたがって墓を管理、守る者がいなくなり、無縁墓地となるケースも増えてきている。
【０００３】
【特許文献１】特開２００８−１７８８３０号公報
【特許文献２】特開２００２−０７３７９８号公報
【特許文献３】特開２００２−１０６２０８号公報
【特許文献４】特開２００６−０６８２３５号公報
【特許文献５】特開２０００−１２９９６０号公報
【特許文献６】特開２００３−１１３６７９号公報
【特許文献７】特開２０１４−１１００３８号公報
【特許文献８】特開２００５−０５４４６１号公報
【特許文献９】特開２００３−１１３６７９号公報
【特許文献１０】特開平０８−３０５７６４号公報
【発明の開示】
【発明が解決しようとする課題】
【０００４】
本発明は、上述した課題を解決するためになされたものであり、本発明の目的は、遺族、子孫などに負担をかけず、亡くなったら自然に返る・帰るようにしつつも、弔う者がいれば、長く弔うこともできるようにすることにある。
【課題を解決するための手段】
【０００５】
上記目的を達成するために、本発明は、  植えられている複数の樹木につき、植えられている場所を示す埋葬場所情報と、  これらの樹木のいずれかに対応して遺骨が埋葬された人または動物若しくはこれらの遺族、親族、飼い主または連絡先に関する連絡先情報と、  遺骨が埋葬された人または動物の没年月日、逝去年月日、命日、忌日、葬儀日または埋葬日に関する年月日情報を対応させて記憶する埋葬情報記憶手段に対して、  上記樹木を保管または育成する期間に関する期間情報を発生させ、  現在の年月日の現在情報を発生させ、  上記発生される期間情報と、上記発生される現在情報と、上記埋葬情報記憶手段から読み出した年月日情報とに基づき、当該現在情報が当該年月日情報から当該期間情報に応じた期間に達したかまたは経過したかを判断させ、  この判断結果に基づいて、上記埋葬情報記憶手段から対応する上記連絡先情報を読み出して出力させるようにした。
【発明の効果】
【０００６】
これにより、墓を設けなくてもすみ、墓を管理したり、守ったりする負担もなくなる。遺骨は分解して自然に返すことができる。遺骨や墓の代わりに、樹木によって、亡くなった人を悼み弔うことができる。樹木なので、長く弔うこともできる。
【図面の簡単な説明】
【０００７】
【図１】樹木１２…が植えられている墓地１１を示す。
【図２】所定期間経過後の樹木１２…の移転場所１４…を示す。
【図３】埋葬情報処理装置など全体回路を示す。
【図４】プログラム／データ記憶部７内の埋葬情報メモリ２１（埋葬情報記憶手段）を示す。
【図５】プログラム／データ記憶部７内の移転情報メモリ２２（移転情報記憶手段）を示す。
【図６】埋葬情報処理（全体処理）のフローチャートを示す。
【図７】ステップ１２の移転情報処理のフローチャートを示す。
【図８】ステップ１３の画像配信処理／状況情報処理のフローチャートを示す。
【符号の説明】
【０００８】
１…コントローラ（現在情報発生手段）
２…アドレス／データバスライン
３…入力部  ４…出力部
５…インターフェース部  ６…情報記憶部
７…プログラム／データ記憶部（画像記憶手段、埋葬情報記憶手段、移転情報記憶手段）
１１…墓地  １２…樹木  １３…墓地区画
１４…移転場所  １５…カメラ（撮影手段、画像記憶手段）
２１…埋葬情報メモリ（埋葬情報記憶手段、移転情報記憶手段）
２２…移転情報メモリ（移転情報記憶手段）
Ｂ…埋葬情報  ＢＰ…埋葬場所情報
ＢＡ…連絡先情報  ＢＤ…年月日情報
ＢＴ…期間情報  ＰＴ…現在情報
ＭＢ…移転前情報  ＭＰ…移転場所情報
ＭＡ…移転後情報  ＭＶ…画像情報
ＣＤ…カメラ識別情報
【発明を実施するための形態】
【０００９】
（１）原理
図１及び図２は、埋葬情報処理装置／システム、埋葬情報処理方法を実現するための装置／システム、埋葬情報処理のためのコンピュータプログラムを実行する装置／システムにおいて、実行される埋葬情報処理の原理を示す。
【００１０】
図１の墓地１１には、比較的小さい苗木の複数の樹木１２…が植えられている。この樹木１２…の数は、例えば４×７＝２８本、８×７＝５６本、１２×７＝８４本などであり、各樹木１２…の間隔は当間隔であり、各樹木１２…の周囲のエリアを墓地区画１３…という。この墓地区画１３…には、配列順に番号などが割り振られ、各墓地区画１３…内にはこれの番号を示す標識、そのたの連絡先を表示・暗示する標識などが設置されてもよい。
【００１１】
この墓地区画１３…内の樹木１２…の個々の周囲、近傍の一箇所または複数個所には、人またはペット等の動物の遺骨が埋葬される。埋葬された遺骨は、長年の間に分解されて土にかえり、その成分であるリン酸カルシウム、カルシウム、リン酸、窒素化合物などが、樹木１２…に吸収されて、樹木１２…は成長する。
【００１２】
遺骨が埋葬された人または動物の一回忌、三回忌、その他の命日、誕生日、結婚記念日、その他の記念日に達して、所定期間経過後、当該樹木１２…は、山、丘陵、公園、農地、農牧地、森林、丘陵地、島、空き地、庭、緑地帯、山道、農道、林道、歩道、道路、湖、池、川のほとりなど、所定の移転場所１４…に移転され植え替えられる。
【００１３】
樹木１２…が移転場所４…に植え替えられた墓地区画３…の土は、掘り起こされて壺、容器、箱などに移し替えられ寺社仏閣教会などに保管され、永代供養、その他の供養がなされる。移転場所１４…は墓地１１の近くでもよいし遠くてもよいし、墓地１１のある寺社仏閣教会の浦山でもよい。
【００１４】
図２の上記移転場所１４…の樹木１２…または移転場所１４…の近景または遠景は、カメラ１５…で撮影され、撮影された画像情報は、遺族、親族または連絡先に配信され、遺族、親族または連絡先の人は、お参りすることができる。このようなカメラ１５…は、大きな木、電柱、家屋の軒先等に設置され、インターネット回線に接続される。
【００１５】
このカメラ１５…は、ＣＣＤ機能等により、撮影した画像を記憶する機能も有している。この画像記憶手段とカメラ１５…とは一体でもよいし、離れていて無線・有線で接続されていてもよい。この撮影された画像情報ＭＶは、動画、静止画いずれでもよいし、配信時のリアルタイムの画像でもよいし、過去の記憶画像でもよい。
【００１６】
また、この画像情報ＭＶは、インターネット上で配信されるストリートビューという地図の任意の地点に対応した箇所の画像でもよい。このようなカメラ１５…は固定式のほか、自動運転をする無人の移動車両、空中を移動／静止する空中浮遊飛翔体などに設置された移動式／静止式でもよい。このような連絡先への連絡、配信は、ライン、フェイスブック、ツイッター、チャットなどの種々のインターネット上のサービスを利用して行うこともできる。
【００１７】
（２）全体回路
図３は、埋葬情報処理装置の中の全体回路を示し、埋葬情報処理のデータ処理装置、埋葬情報処理方法を実現するための装置、埋葬情報処理のためのコンピュータプログラムを実行する装置、埋葬情報処理装置、サーバー、パソコン、スマートフォン、携帯情報端末、インターネット機器、カーナビゲーションまたはマイクロコンピュータの全体回路を示す。
【００１８】
この全体回路は、コントローラ１（中央処理演算装置であるＣＰＵ、ＲＯＭ、ＲＡＭ、時計回路など）を中心に、アドレス信号及びデータ信号が双方向に伝達されるアドレス／データバスライン２を介して入力部３、出力部４、インターフェース部５、情報記憶部６、プログラム／データ記憶部７等と電気的に接続されて構成されている。
【００１９】
入力部３は、キーボ−ド、マウス、タッチパネル、デジタイザなどの文字入力装置または画像入力装置などからなっている。文字入力装置または画像入力装置からは、埋葬情報、埋葬場所情報、連絡先情報、年月日情報、期間情報、現在情報、移転前情報、移転場所情報、移転後情報、画像情報などが入力され、文章数値データ、日付日時データなども入力され、さらに、その他の各種データを処理するためのコマンド、設定・指示データ、その他の情報が入力されてもよい。
【００２０】
出力部４は、ディスプレイ、プリンタなどから構成されており、上記埋葬情報、埋葬場所情報、連絡先情報、年月日情報、期間情報、現在情報、移転前情報、移転場所情報、移転後情報、画像情報、文章数値データ、日付日時データなどの各種データ、種々の情報の入力画面、制御画面、出力画面などが表示画面に表示／印刷されるなどの出力処理が行われる。
【００２１】
インターフェース部５は、ＬＡＮ、インターネット、外部機器接続用のなどの送受信回路などからなり、外部入力装置と外部出力装置とからなる外部装置が接続される。このインターフェース部５を通じて、他のパソコンなどからも、上記埋葬情報、埋葬場所情報、連絡先情報、年月日情報、期間情報、現在情報、移転前情報、移転場所情報、移転後情報、画像情報、文章数値データ、日付日時データなどの各種データなどのほか、その他のデータ、コマンド、設定・指示データ、その他の情報、プログラムが送受される。
【００２２】
プログラム／データ記憶部７（内部記憶媒体／手段）はフラッシュメモリ、ＥＥＰＲＯＭ、ＥＰＲＯＭ、ＣＤ−ＲＯＭなどＲＯＭ等の不揮発性メモリと、ＲＡＭ、キャッシュメモリ、ハードディスク、磁気カード、磁気ディスク、ＣＤ−ＲＡＭ、ＤＶＤ（デジタルビデオディスク）等が用いられた一時記憶メモリという大別して二種類の記憶装置（記憶手段）から構成されている。
【００２３】
そして、プログラム／データ記憶部７のＲＯＭには、埋葬情報処理装置（全体回路）で実行されるプログラムや各種処理に使用される汎用データが記憶される。このプログラムは後述するフローチャートに対応している。また、プログラム／データ記憶部７の一時記憶メモリには、プログラム処理中のデータの一時的な蓄積等、つまりワーキングメモリ若しくはキャッシュメモリとして用いられ、フラグ、モードなども記憶される。
【００２４】
また、情報記憶部６（外部記憶補助媒体／手段、補助記憶媒体）は、磁気ディスク、光ディスク、フレキシブルディスク（プロッピィーディスク）、磁気ドラム、磁気テープ、メモリカード、ＣＤ−ＲＡＭ、ＣＤ−ＲＯＭ、ＤＶＤなどの大量情報記憶／保存メディアとそれらのメディアへの情報書き込み／読み出し装置等（ドライブ装置、インターフェイス回路）から構成されている。
【００２５】
なお、場合によって、埋葬情報処理装置は、情報記憶部６のＲＯＭ内に予め記憶されたプログラムによって単一の処理が行われる専用装置とされ、情報記憶部６に保存されたプログラムが、適宜、プログラム／データ記憶部７のＲＡＭ内に呼び込まれて起動される汎用のコンピュータ装置とされる。この場合は、情報記憶部６には、コントローラ１によって実行される基本ソフト（オペレーティングソフト）、システムソフト、応用プログラムを含む各プログラムが保存されている。
【００２６】
そして、埋葬情報処理装置の電源立ち上げ時、または新たなプログラムの起動時等において、情報記憶部６から読み出されて取り込まれ、プログラム／データ記憶部７のＲＡＭ等に一時的に保存されると共に、コントローラ１によって実行される。つまり、埋葬情報処理装置によって実行されるプログラムが、情報記憶部６に保存されており、適宜読み出されて取り込まれてコントローラ１によって実行される。
【００２７】
この場合、新たなプログラムへの変更は、情報記憶部６内に保存されているプログラム自体が置き換えられるか、若しくはプログラムの保存されているＣＤ−ＲＯＭ、磁気ディスク、フレキシブル磁気ディスク等が交換される（インストール／転送される）ことで行われる。
【００２８】
また、プログラム／データ記憶部７のＥＰＲＯＭに保存されたプログラムを専用に実行するコンピュータ装置の場合には、同じように、ＣＤ−ＲＯＭ、磁気ディスク、フレキシブル磁気ディスク等が交換される（インストール／転送される）ことに呼応してＥＰＲＯＭ等の書き換えが行われるか、またはＲＯＭ自体の交換によって達成される。
【００２９】
なお、このプログラムの新規置き換えは、場合によって、上記インターフェース部５を通じて、インターネット回線、電話回線、公衆回線またはＬＡＮ回線を介して接続されている他のコンピュータなどの外部装置から送られてくる。つまり、コンピュータ装置（全体回路）で実行されるプログラムが、情報記憶部６に対して直接的に交換されたり、インターネットなどの通信網を介して国内外の外部装置から送られてきたもので交換されたりする。
【００３０】
したがって、場合によって、埋葬情報処理装置（全体回路）において実行されるプログラムが、起動の度毎に、国内外の外部装置から送られてくる。つまり、埋葬情報処理装置の情報記憶部６に応用プログラムが保存されておらず、国内外の外部装置から送られてくるプログラムを実行する端末装置の役目のみが、本発明の埋葬情報処理装置（全体回路）に与えられる。さらには、国内外の外部装置からプログラムとそのプログラムによって処理されるデータが共に送られてきて、そのプログラムによってデータ処理がなされた後、その結果が国内外の外部装置に送り返される。
【００３１】
また、コンピュータ装置で実行されるプログラムは、場合によって、ＯＳなどの基本プログラムを基に、応用プログラムが実行されるような、一般的なコンピュータシステムによるプログラムであり、ＯＳを含む統一化された一つのプログラムのみが実行される専用のコンピュータシステムである。よって、それらの統一化されたプログラムが国内外の外部装置から与えられるし、応用プログラムまたは基本プログラムまたはプログラムの一部のみが国内外の外部装置から送られてきて実行される。
【００３２】
なお、場合によって、本コンピュータ装置に予め別のオペレーティングシステム、システムプログラム（ＯＳ）、その他のプログラムが記憶され、上記プログラムはこれらのＯＳ、その他のプログラムとともに実行される。このプログラムは本装置（コンピュータ本体）にインストールされ実行されるときに、別のプログラムとともにまたは単独で請求項（特許請求の範囲）または末尾の他の発明の効果の各請求項に記載された処理・機能を実行させる。
【００３３】
また、場合によって、このプログラムの一部または全部が本装置以外の１つ以上の国内外の単数又は複数の別装置に記憶されて実行され、本装置と別装置との間には通信手段を介して、これから処理するデータ／既に処理されたデータ／プログラムが送受され、本装置及び別装置全体として、本発明が実行される。これらの通信手段はインターネット通信システムなどである。
【００３４】
（３）プログラム／データ記憶部７内の記憶データ
上記コントローラ１またはプログラム／データ記憶部７には、埋葬情報Ｂ、埋葬場所情報ＢＰ、連絡先情報ＢＡ、年月日情報ＢＤ、期間情報ＢＴ、パスワード情報ＰＷ、現在情報ＰＴ、移転前情報ＭＢ、移転場所情報ＭＰ、移転後情報ＭＡ、画像情報ＭＶ、カメラ識別情報ＣＤなどが入力または記憶され、文章数値データ、日付日時データなども入力または記憶され、さらに、その他の各種データを処理するためのコマンド、フラグ、アクセスアドレスカウント値、設定・指示データ、その他の情報が記憶される。
【００３５】
図４は上記プログラム／データ記憶部７内の埋葬情報メモリ２１（埋葬情報記憶手段、移転情報記憶手段）を示す。この埋葬情報メモリ２１には、埋葬情報Ｂ、つまり埋葬場所情報ＢＰ、連絡先情報ＢＡ、年月日情報ＢＤ、期間情報ＢＴ、移転場所情報ＭＰ、パスワード情報ＰＷとが対応されて記憶されている。
【００３６】
このような各情報は、管理者、その他操作者、連絡先等によって、管理者による墓地１１の造成時、連絡先による墓地区画１３…の契約時または樹木１２…の購入時などに、埋葬情報メモリ２１に書き込まれる。
【００３７】
上記埋葬場所情報ＢＰは、上記樹木１２…それぞれが植えられている場所・配列順を示し、上記図１の２８区画の例であれば、左上の墓地区画１３…を「１」とし、左に向かって順次「２」「３」…と続き、右端の「７」から２列目の左端の「８」へと続き、４列目の右端の「２８」までとなる。これらの埋葬場所情報ＢＰは、埋葬情報メモリ２１（埋葬情報記憶手段）の記憶番地でそっくり代用される。しかし、記憶番地と別に記憶してもよい。
【００３８】
上記連絡先情報ＢＡは、これらの樹木１２…ごとに対応して、遺骨が埋葬された人または動物若しくはこれらの遺族、親族、飼い主または連絡先を示す。例えば、飼い主または遺族の住所、氏名、電話番号、ＦＡＸ番号、携帯電話番号、メールアドレス、携帯電話アドレス、勤務先、本籍、宗派、戒名、国籍などである。
【００３９】
この場合、遺族以外に、場合によって、亡くなった人または動物の健在時の連絡先、親、子、孫、祖父母、兄弟、親戚、親族、姻族、友人、上司、先輩、後輩、後見人、代理人、成年後見人などの連絡先に置き換えられてもよいし、または含まれてもよい。
【００４０】
上記年月日情報ＢＤは、遺骨が埋葬された人または動物の没年月日を示す。年月日情報ＢＤは、逝去年月日、命日、忌日、葬儀日または埋葬日でもよいし、場合によって曜日、時刻なども含めてもよい。
【００４１】
上記期間情報ＢＴは、上記樹木１２…を保管または育成する期間に関する情報、つまり埋葬から移転場所１４…に移転するまでの期間を示し、例えば一回忌に相当する「１年」、三回忌に相当する「２年」、その他「１年６か月」、「２年」、「２年６か月」、「４９日」、「１００日」、「６年」（７回忌）、「１２年」（１３回忌）、「１６年」（１７回忌）、「２２年」（２３回忌）、「２６年」（２７回忌）、「３２年」（３３回忌）、「４９年」、「○年○月」、「○年○日」、「○月○日」または、法事、法要までの期間、その他故人または亡くなった動物の数年後の誕生日、数年後の結婚記念日などである。
【００４２】
上記現在情報ＰＴは、上記コントローラ１内の時計回路でカウント・メモリされており、この時計回路から発生され、現在の年月日を表す。
【００４３】
上記移転場所情報ＭＰは、上記樹木１２…の移転先の移転場所を示し、住所または経度及び緯度などで表される。
【００４４】
上記パスワード情報ＰＷは、上記樹木１２…ごと、つまり墓地区画１３…ごと、すなわち埋葬場所情報ＢＰごとに、割り振られるパスワードであり、このパスワードが入力されると、上記移転場所情報ＭＰ、画像情報ＭＶが、連絡先情報ＢＡに応じた連絡先に送られたり、この連絡先からのアクセスが許可されたりする。
【００４５】
上記移転前情報ＭＢは、上記移転するときの移転する樹木１２…の埋葬場所情報ＢＰであり、場合によって上記移転場所情報ＭＰも含まれる。
【００４６】
上記移転後情報ＭＡは、上記移転された後の移転された樹木１２…の上記移転場所情報ＭＰと、当該樹木１２…に対応する上記連絡先情報ＢＡとからなる。
【００４７】
上記画像情報ＭＶは、上記カメラ１５…で撮影された、樹木１２…の移転先の画像であり、カメラ１５…自身にも記憶される。上記カメラ識別情報ＣＤは、上記複数のカメラ１５…のいずれかを識別して示す。
【００４８】
なお、埋葬情報メモリ２１には、場合によって、期間情報ＢＴ、移転場所情報ＭＰまたはパスワード情報ＰＷ、（若しくは年月日情報ＢＤ、連絡先情報ＢＡ、埋葬場所情報ＢＰ）は記憶されなくてもよい。この場合、後述するフローチャートに応じたプログラムの中に期間情報ＢＴ、移転場所情報ＭＰ、パスワード情報ＰＷが記憶される。また、埋葬場所情報ＢＰを埋葬情報メモリ２１のアドレスとせず、アドレスとは別に埋葬場所情報ＢＰを埋葬情報メモリ２１に記憶してもよい。
【００４９】
図５は上記プログラム／データ記憶部７内の移転情報メモリ２２（移転情報記憶手段）を示す。この移転情報メモリ２２には、上記移転場所情報ＭＰと、この移転場所情報ＭＰに移転された樹木１２…に対応する連絡先情報ＢＡ、埋葬場所情報ＢＰ、年月日情報ＢＤ、期間情報ＢＴ、パスワード情報ＰＷ、カメラ識別情報ＣＤとが対応されて記憶される。
【００５０】
なお、この移転情報メモリ２２には、場合によって、埋葬場所情報ＢＰ、年月日情報ＢＤ、期間情報ＢＴ、パスワード情報ＰＷまたはカメラ識別情報ＣＤ、（若しくは連絡先情報ＢＡ、移転場所情報ＭＰ）は記憶されなくてもよい。
【００５１】
このような移転情報メモリ２２は、上記移転場所１４…が複数になれば、これに応じて、増設されるか、または記憶エリアが拡張される。また埋葬情報メモリ２１は、上記墓地１１が複数になれば、これに応じて、増設されるか、または記憶エリアが拡張される。さらに埋葬情報メモリ２１は、上記墓地区画１３…が増えれば、これに応じて、増設されるか、または記憶エリアが拡張される。
【００５２】
（４）埋葬情報処理（全体処理）
図６は、上記コントローラ１によって実行される埋葬情報処理（全体処理）のフローチャートを示す。
【００５３】
図６の処理は電源投入または当該プログラム実行の所定処理によって開始され、まず、イニシャライズ処理が実行され（ステップ０１）、上記情報記憶部６、プログラム／データ記憶部７のエラーチェック、その他の初期化が行われる。
【００５４】
上記埋葬情報メモリ２１の読み出しアドレスが「１」とされ（ステップ０２）、埋葬情報メモリ２１の墓地区画１３の「１」に対応した先頭番地から、上記年月日情報ＢＤ及び期間情報ＢＴを読み出し（ステップ０３）、この年月日情報ＢＤに期間情報ＢＴを加算し（ステップ０４）、この加算結果が上記現在情報ＰＴに一致したか／達したかまたは越えたか／経過したかを判断する（ステップ０５）。
【００５５】
一致または経過していれば、この番地の連絡先情報ＢＡを読み出して出力し（ステップ０６）、また当該番地の「１」を移転すべき樹木１２のある墓地区画１３を示す埋葬場所情報ＢＰとして出力し（ステップ０７）、さらにこの番地の移転場所情報ＭＰを読み出してプログラム／データ記憶部７に一時記憶し出力し（ステップ０８）、またさらに対応する樹木１２…を移転すべきメッセージなどの情報を出力する（ステップ０９）。
【００５６】
この出力は、出力部４のディスプレイに表示されたり、出力部４のプリンタで印刷されたり、音声で出力されたり、連絡先情報ＢＡのメールアドレスに送信されたり、管理者などのメールアドレスに送信されたりする。
【００５７】
この場合、上記印刷された連絡先情報ＢＡの住所に移転の案内状を管理者が郵送したり、ＦＡＸを送ったり、管理者が電話で連絡したり、メール発信したりしてもよい。この場合、移転場所情報ＭＰに応じた画像情報、移転予定日時、年月日情報ＢＤ（命日）、期間情報ＢＴ、移転場所情報ＭＰ、埋葬場所情報ＢＰなども送られてもよい（ステップ０７、０８）。
【００５８】
以上の処理は、埋葬情報メモリ２１の各アドレスにつき繰り返され、最終アドレスまで繰り返される（ステップ１０、１１）。次いで、移転情報処理が実行され（ステップ１２）、さらに画像配信処理／状況情報処理が実行される（ステップ１３）。
【００５９】
このような処理に基づいて、移転すべき樹木１２…が、移転場所情報ＭＰに応じた番所に植え替えられる。この植え替えは、掘削機を使って機械的に行われたり、手作業で行われたりする。また、場合によって、移転された樹木１２が写る位置に、カメラ１５の設置も行われ、このようなカメラ１５…は優先または無線のインターネット回線に接続される。樹木１２…が移転された後の墓地区画３…の土は、掘り起こされて壺、容器、箱などに移し替えられ寺社仏閣教会などに保管され、永代供養、その他の供養がなされる。
【００６０】
（５）移転情報処理（ステップ１２）
図７は、上記ステップ１２の移転情報処理のフローチャートを示す。この処理では、まず、管理者などによって移転情報処理のコマンドが入力、その他の指示がなされれば（ステップ２１）、上記ステップ０６で読み出された連絡先情報ＢＡと、上記ステップ０８で読み出された移転場所情報ＭＰと、上記ステップ０７で読み出された埋葬場所情報ＢＰとが、移転情報メモリ２２（移転情報記憶手段）の空きエリアの先頭に書き込まれていく（ステップ２２）。
【００６１】
この書き込みでは、上記ステップ０３で読み出した年月日情報ＢＤ、期間情報ＢＴ、パスワード情報ＰＷも合わせて書き込まれるが、この年月日情報ＢＤ、期間情報ＢＴ、パスワード情報ＰＷの書き込みは省略されてもよいし、上記埋葬場所情報ＢＰの書き込みも省略されてもよいし、下記カメラ識別情報ＣＤ、連絡先情報ＢＡの書き込みも省略されてもよい。
【００６２】
次いで、この移転場所情報ＭＰに対応したカメラ識別情報ＣＤも同じエリアに書き込む（ステップ２３）。この場合、１つの移転場所１４に設置されたカメラ１５…につき、移転場所情報ＭＰとカメラ識別情報ＣＤとを対応させるテーブル（図示せず）に基づき、移転場所情報ＭＰからカメラ識別情報ＣＤが読み出されて移転情報メモリ２２に書き込まれる。この書き込まれるカメラ識別情報ＣＤは１つの移転場所情報ＭＰにつき複数のこともある。
【００６３】
次いで、このような連絡先情報ＢＡの書き込みが完了すれば（ステップ２４）、対応する埋葬場所情報ＢＰに応じた埋葬情報メモリ２１のアドレス／番地の埋葬場所情報ＢＰ、連絡先情報ＢＡ、年月日情報ＢＤ、期間情報ＢＴ、移転場所情報ＭＰ、パスワード情報ＰＷがクリア／消去される（ステップ２５）。
【００６４】
これにより、埋葬場所情報ＢＰの墓地区画１３の樹木１２が移転され、空いていることが、埋葬情報処理装置の上で容易に判別できる。したがって、この墓地区画１３には、新たな樹木の１２の植樹と新たな遺骨の埋葬が可能となり行われる。そして、このアドレス／番地には、新たな埋葬場所情報ＢＰ、連絡先情報ＢＡ、年月日情報ＢＤ、期間情報ＢＴ、移転場所情報ＭＰ、パスワード情報ＰＷが書き込まれる。
【００６５】
なお、上記ステップ２４の埋葬情報メモリ２１の該当アドレスの記憶内容の上記クリア／消去は、実際に記憶内容をクリア／消去せずにフラグのセット／リセットによっても実行でき、このようなフラグが埋葬情報メモリ２１に記憶されてもよい。
【００６６】
この場合、上記ステップ２４でフラグのみがリセット／クリアされ、上記新たな埋葬場所情報ＢＰ、連絡先情報ＢＡ、年月日情報ＢＤ、期間情報ＢＴ、移転場所情報ＭＰ、パスワード情報ＰＷが書き込まれるときに、当該フラグがセットされる。
【００６７】
（６）画像配信処理／状況情報処理（ステップ１３）
図８は上記ステップ１３の画像配信処理／状況情報処理のフローチャートを示す。連絡先などからインターネット回線などを通じてアクセスがあれば（ステップ３１）、パスワードの入力を求めるメッセージをアクセス先に対して出力する（ステップ３２）。
【００６８】
これに対して、アクセス先から入力されたパスワードが、上記移転情報メモリ２２に記憶されたパスワード情報ＰＷのいずれかに一致すれば（ステップ３３）、このアクセス先が記憶された連絡先情報ＢＡに該当すると判断し、アクセス先に対して移転先の画像を閲覧するかを問うメッセージを連絡先に出力する（ステップ３４）。
【００６９】
これに対して、画像閲覧の回答が連絡先からあれば（ステップ３５）、上記ステップ２３の移転情報メモリ２２のパスワード情報ＰＷに対応する移転場所情報ＭＰのカメラ１５…に対応するカメラ識別情報ＣＤを読み出して（ステップ３６）、このカメラ識別情報ＣＤに対応するカメラ１５…の画像情報ＭＶを取り込んでプログラム／データ記憶部７に蓄積し（ステップ３７）、これをアクセス先に送って配信する（ステップ３８）。
【００７０】
これにより、連絡先の人は、移転場所１４または／及び移転された樹木１２を、自宅、その他移転場所１４から離れた場所にいても、パソコン画面、スマートフォン画面、アイパッド（登録商標）画面、携帯型薄型端末画面、テレビ画面などで見て閲覧することができ、弔い・お参りすることができる。このパソコン画面などは、場合によって、仏壇、霊前、仏前、神棚、祭壇等に安置される。この配信される画像情報ＭＶは動画でも静止画でもよい。
【００７１】
なお、上記ステップ３６、３７、３８では、以下のように処理してもよい。すなわち、上記連絡先からのインターネット回線上のアクセスラインに対して、上記カメラ１５…への同じくインターネット回線上のアクセスラインをつないでもよい。これにより、連絡先の人は、カメラ１５…からの画像情報ＭＶを直接見ることができる。
【００７２】
また、上記パスワード情報ＰＷに対応した移転情報メモリ２２の移転場所情報ＭＰが緯度と経度であれば、インターネット上のサイトであって、緯度と経度によって地球上の地点を指示できる地図情報を提供するサイトにアクセスし、当該緯度と経度を入力し、この地点のストリートビューを連絡先にインターネット上でつないでもよい。
【００７３】
上記ステップ３５で画像閲覧の回答が連絡先からなければ（ステップ３５）、アクセス先に対して移転先または移転前の情報を提供するかを問うメッセージを連絡先に出力する（ステップ４４）。
【００７４】
これに対して、移転先または移転前の情報の提供の回答が連絡先からあれば（ステップ４５）、上記ステップ２３の移転情報メモリ２２のパスワード情報ＰＷに対応する移転場所情報ＭＰを読み出して（ステップ４６）、アクセス先／連絡先に送って配信する（ステップ４７）。
【００７５】
これにより、連絡先情報ＢＡに対応した連絡先に対して移転場所情報ＭＰが出力され、連絡先の人は、樹木１２…の移転場所１４等、移転後の状況を知ることができる。この場合、移転場所情報ＭＰの送付は、郵送したり、ＦＡＸを送ったり、管理者が電話で連絡したり、メール発信したりしてもよい。
【００７６】
上記ステップ３３でアクセス先から入力されたパスワードが、上記移転情報メモリ２２に記憶されたパスワード情報ＰＷのいずれかに一致しなければ（ステップ３３）、この入力パスワードが上記埋葬情報メモリ２１に記憶されたパスワード情報ＰＷのいずれかに一致するかどうかがチェックされる（ステップ５３）。
【００７７】
一致していれば（ステップ５３）、上記埋葬情報メモリ２１のパスワード情報ＰＷに対応する埋葬場所情報ＢＰ、年月日情報ＢＤ、期間情報ＢＴを読み出して（ステップ５４）、アクセス先に送って配信する（ステップ５５）。これにより、連絡先情報ＢＡに対応した連絡先に対して移転前の埋葬場所情報ＢＰ、年月日情報ＢＤ、期間情報ＢＴが出力され、連絡先の人は、移転前の墓地１１内の樹木１２…及び墓地区画１３…の位置、移転までの期間、移転予定年月日、没年月日、命日等、移転前の状況を知ることができる。
【００７８】
（７）他の実施の形態
本発明は、上記実施形態に限定されず、種々変更可能である。例えば、本埋葬情報処理装置、埋葬情報処理方法、埋葬情報処理のためのコンピュータプログラムは、複数の場所、複数の国、国内外に分散して設けられた装置、プログラムによって、実行されてもよく、この場合各分散システムはインターネット回線、その他の通信回線を通じて接続され情報・データが送受される。
【００７９】
これに応じて、上記埋葬情報メモリ２１、移転情報メモリ２２、情報記憶部６、プログラム／データ記憶部７は、複数に分割、分離されて、これらの記憶手段に記憶された情報・データは、複数個所に分散記憶されてもよいし、上記フローチャートに応じたプログラム内に記憶されてもよい。
【００８０】
上記移転情報メモリ２２は、移転場所１４…ごとに複数設けられてもよい。これにより、移転場所情報ＭＰ自体は省略できる。代わりに、複数の移転情報メモリ２２…を識別する、エリアアドレスまたは上位アドレスを、移転場所情報ＭＰとして発生できる。
【００８１】
上記埋葬情報メモリ２１は、複数の墓地１１…ごとに複数設けられてもよい。また、埋葬情報メモリ２１は、期間情報ＢＴごとに複数設けられてもよい。これにより、期間情報ＢＴ自体は省略できる。代わりに、複数の埋葬情報メモリ２１…を識別する、エリアアドレスまたは上位アドレスを、期間情報ＢＴとして発生できる。
【００８２】
１つの連絡先だけで、多くの墓地区画１３…、移転場所１４…を有しているときには、この１つの連絡先だけにつき、埋葬情報メモリ２１、移転情報メモリ２２を設けてもよい。これにより、連絡先情報ＢＡを省略して、これらのメモリを識別する、エリアアドレスまたは上位アドレスを、連絡先情報ＢＡとして発生できる。
【００８３】
年月日情報ＢＤが短い範囲または同日で共通する場合には、この１つの年月日情報ＢＤだけにつき、埋葬情報メモリ２１、移転情報メモリ２２を設けてもよい。これにより、年月日情報ＢＤを省略して、これらのメモリを識別する、エリアアドレスまたは上位アドレスを、年月日情報ＢＤとして発生できる。
【００８４】
上記年月日情報ＢＤを埋葬情報メモリ２１または移転情報メモリ２２に記憶する代わりに、年月日情報ＢＤに対して期間情報ＢＴが加算された加算情報が記憶されてもよい。これでも、年月日情報ＢＤと期間情報ＢＴとが一体化・合体されて、各情報が内在・包含された情報形態として、書き込まれ、入力され、記憶され、読み出され、発生され、出力されるといえる。
【００８５】
これにより、上記ステップ０４の加算処理は省略できる。この場合、見かけ上、期間情報ＢＴが省略されているといえるが、このような記憶形態でも均等の範囲内である。なお、この場合でも、期間情報ＢＴを重ねて記憶してもよい。
【００８６】
上記図７のステップ１２の移転情報処理は、全体処理の中で実行されるのではなく、インタラプト処理により、管理者などによって移転情報処理のコマンドが入力された時に実行されてもよい。同じく上記図８のステップ１３の画像配信処理・状況情報処理は、全体処理の中で実行されるのではなく、インタラプト処理により、連絡先などからインターネット回線などを通じてアクセスされた時に実行されてもよい。
【００８７】
上記遺骨は、火葬によるものであるが、場合によって、土葬、水葬、風葬、川葬、海葬、湖葬、空葬、宇宙葬によるものでもよいし、遺骨は粉状になった遺灰でもよいし、遺骨は人のほか、ペット等の動物のものでもよく、上述の埋葬及び樹木１２…の移転は、この場合法律に認められた範囲内で法律に従って実行される。上記樹木１２…の移転場所１４…は、遺族、親族または連絡先の自宅内の植木鉢、自宅の敷地内の庭、所有の土地、ビル・建物の屋上など、どこでもよい。
【００８８】
上記樹木１２…は、小さい苗木のほか、巨木でもよいし、木、針葉樹、広葉樹、果樹、低木、高木、中木、多年草の植物、苔、サボテン、竹、芝生、葦、水草、海草、藻類、水耕栽培植物でもよいし、１つの墓地区画１３…に単数でも複数でもよいし、墓地１１ごとまたは墓地区画１３…ごと、移転場所１４…ごとに異なる樹木でもよいし同じ樹木でもよい。
【００８９】
上記墓地区画１３…、移転場所１４…は、樹木１２…の間隔に応じて広くなったり狭くなったりするし、樹木１２…の間隔が大きければ非常に広くなるし、墓地区画１３…、移転場所１４…は平面的ではなく、縦、横、高さを有する立体的な大きさを有してもよいし、海中、海面、海底、水中、水面、水底、空中、日本国内、外国、宇宙でもよいし、大きな施設内で人工的な照明などで樹木１２…が育成される区画でもよい。
【００９０】
上記墓地１１一つあたりの墓地区画１３…の数、移転場所１４…の樹木１２…の数は任意であり、いくつでもよいし、複数でもよいし、１つでもよい。１つの墓地１１の墓地区画１３…の面積、各移転場所１４…の面積は同じであるが異なっていてもよいし、形状は方形のほか、六角形、三角形等の多角形、円形、楕円、直方体、立方体等の立体でもよい。各樹木１２…の間隔も、等間隔ではなく、不等間隔でもよい。
【００９１】
墓地１１、移転場所１４…の形状は、方形のほか、六角形、三角形等の多角形、円形、楕円、直方体、立方体等の立体でもよいし、墓地区画１３…の配置は複数列・複数行の行列状のほか、一列状、環状、同心円状、放射線状、ランダム状いずれでもよい。
【００９２】
上記墓地１１の墓地区画１３…または樹木１２…に対しても、これらを写すカメラを設置して連絡先に配信してもよい。この場合、上述した図６〜図８の処理が、移転場所１４…及び移転場所情報ＭＰが、墓地区画１３…及び埋葬場所情報ＢＰに置き換えられて同様の処理が実行される。
【００９３】
さらに、このような墓地区画１３…または樹木１２…での納骨式、散骨式、植樹式、その他の慰霊についても、上記設置したカメラによって同様にリアルタイムでまたは記録した画像情報ＭＶの配信を行うことができる。この場合の配信先も、上記連絡先情報ＢＡに応じた連絡先であるが、この場合のみ連絡先を多数に増やして、多数の連絡先に画像情報ＭＶを配信できる。
【００９４】
またさらに、上記墓地区画１３…または樹木１２…の代わりに、葬式会場、葬儀会場、火葬場などについても、これらを写すカメラを設置して同様に連絡先に配信することもできる。この場合の多数の配信先にもリアルタイムでまたは記録した画像情報ＭＶを配信できる。これにより、外国、遠隔地にいて出席できない人、高齢者や体が不自由な人、出席に都合がつかない人などにも画像情報ＭＶを配信して簡易式で葬儀などに参加してもらうこともできる。
【００９５】
１つの移転場所１４…にカメラ１５…が複数あるときには、連絡先の人の操作によって、または一定時間ごとに、これらのカメラ１５…が切り換えられる。この複数のカメラ１５…は山全体／森林全体／遠景と樹木１２／近景とを切り換えてもよい。
【００９６】
上記樹木１２…が植え替えられて収納された墓地区画１３…の土が入った壺、容器、箱などの保管場所の情報も、埋葬情報メモリ２１または移転情報メモリ２２に記憶され、読み出されて、対応する連絡先情報ＢＡの連絡先に送られてもよい。
【００９７】
上記ステップ０１〜１３、２１〜２５、３１〜３８、３５→４４〜４７、３３→５３〜５５のそれぞれの処理の順番は入れ変えてもよいし、一部または全部が省略されてもよいし、各ステップが均等の他の処理に置き換えられてもよいし、同等の機能を発揮する変化テーブル、ハードまたは回路で一部または全部が置き換え可能であり、均等の範囲で一部人為的に実行されてもよいし、分割分離されてその数が増えても減ってもよいし、これらそれぞれの一部または全部が省略されてもよいし、それぞれの処理は単数でも複数でも３つ以上でもよいし、これらの２つまたは３つ以上が合体または一体化されて兼用されてもよい。
【００９８】
上記コントローラ１、アドレス／データバスライン２、入力部３、出力部４、インターフェース部５、情報記憶部６、プログラム／データ記憶部７、墓地１１、樹木１２…、墓地区画１３…、移転場所１４…、カメラ１５…、埋葬情報メモリ２１、移転情報メモリ２２、本埋葬情報処理装置、埋葬情報Ｂ、埋葬場所情報ＢＰ、連絡先情報ＢＡ、年月日情報ＢＤ、期間情報ＢＴ、現在情報ＰＴ、移転前情報ＭＢ、移転場所情報ＭＰ、移転後情報ＭＡ、画像情報ＭＶ、カメラ識別情報ＣＤは、単数でも複数でも３つ以上でもよいし、これらそれぞれの一部または全体は省略されてもよいし、分割分離されてその数が増えても減ってもよいし、その形状・配置形態・情報形態は任意に変更可能であり、均等の他の物に置き換えられてもよいし、これらの２つまたは３つ以上が合体または一体化されて兼用されてもよい。
【００９９】
（８）他の発明の効果
［１］コンピュータに対して、  植えられている複数の樹木につき、植えられている場所を示す埋葬場所情報と、  これらの樹木のいずれかに対応して遺骨が埋葬された人または動物若しくはこれらの遺族、親族、飼い主または連絡先に関する連絡先情報と、  遺骨が埋葬された人または動物の没年月日、逝去年月日、命日、忌日、葬儀日または埋葬日に関する年月日情報を対応させて記憶する埋葬情報記憶手段に対して、  上記樹木を保管または育成する期間に関する期間情報を発生させ、  現在の年月日の現在情報を発生させ、  上記発生される期間情報と、上記発生される現在情報と、上記埋葬情報記憶手段から読み出した年月日情報とに基づき、当該現在情報が当該年月日情報から当該期間情報に応じた期間に達したかまたは経過したかを判断させ、  この判断結果に基づいて、上記埋葬情報記憶手段から対応する上記連絡先情報を読み出して出力させることを特徴とする埋葬情報処理方法。
【０１００】
［２］植えられている複数の樹木につき、植えられている場所を示す埋葬場所情報と、  これらの樹木のいずれかに対応して遺骨が埋葬された人または動物若しくはこれらの遺族、親族、飼い主または連絡先に関する連絡先情報と、  遺骨が埋葬された人または動物の没年月日、逝去年月日、命日、忌日、葬儀日または埋葬日に関する年月日情報を対応させて記憶する埋葬情報記憶手段に対して、  上記樹木を保管または育成する期間に関する期間情報を発生させる処理と、  現在の年月日の現在情報を発生させる処理と、  上記発生される期間情報と、上記発生される現在情報と、上記埋葬情報記憶手段から読み出した年月日情報とに基づき、当該現在情報が当該年月日情報から当該期間情報に応じた期間に達したかまたは経過したかを判断させる処理と、  この判断結果に基づいて、上記埋葬情報記憶手段から対応する上記連絡先情報を読み出して出力させる処理とを、コンピュータに実行させる埋葬情報処理のためのコンピュータプログラム。
【０１０１】
［３］植えられている複数の樹木につき、植えられている場所を示す埋葬場所情報と、  これらの樹木のいずれかに対応して遺骨が埋葬された人または動物若しくはこれらの遺族、親族、飼い主または連絡先に関する連絡先情報と、  遺骨が埋葬された人または動物の没年月日、逝去年月日、命日、忌日、葬儀日または埋葬日に関する年月日情報を対応させて記憶する埋葬情報記憶手段と、  上記樹木を保管または育成する期間に関する期間情報を発生する期間発生手段（ステップ０３）と、  現在の年月日の現在情報を発生する現在情報発生手段（ステップ０３）と、  上記期間発生手段から発生される期間情報と、上記現在情報発生手段から発生される現在情報と、上記埋葬情報記憶手段から読み出した年月日情報とに基づき、当該現在情報が当該年月日情報から当該期間情報に応じた期間に達したかまたは経過したかを判断する期間判断手段（ステップ０４、０５）と、  この期間判断手段の判断結果に基づいて、上記埋葬情報記憶手段から対応する上記連絡先情報を読み出して出力する連絡先出力手段（ステップ０６）とを備えたことを特徴とする埋葬情報処理装置。
【０１０２】
［４］上記期間判断手段の判断結果に基づいて、上記埋葬情報記憶手段から対応する上記埋葬場所情報を出力し（ステップ０７）、当該対応する樹木を移転すべき情報を出力する（ステップ０９）移転前情報出力手段をさらに備えたことを特徴とする請求項３記載の埋葬情報処理装置。  これにより期間情報が経過したときに、樹木を移転すべきことを容易に知ることができる。
【０１０３】
［５］上記樹木につき、移転された当該樹木の移転場所を示す移転場所情報を記憶する移転情報記憶手段（埋葬情報メモリ２１、移転情報メモリ２２、プログラム／データ記憶部７）と、  この移転情報記憶手段から読み出した移転場所情報を、上記埋葬情報記憶手段に記憶された対応する連絡先情報に対応した連絡先に対して出力する移転後情報出力手段（ステップ０７、０８、４６、４７）とをさらに備えたことを特徴とする請求項４記載の埋葬情報処理装置。  これにより、連絡先の人が樹木の移転先を容易に知ることができる。
【０１０４】
［６］上記移転情報記憶手段は、上記移転場所情報と上記連絡先情報とを対応させて記憶する（ステップ２２）ことを特徴とする請求項５記載の埋葬情報処理装置。  これにより、連絡先の人が移転後いつでも樹木の移転先を知ることができる。
【０１０５】
［７］上記移転情報記憶手段に上記移転場所情報と上記連絡先情報とが記憶されるとき、当該上記連絡先情報の当該記憶を判断する記憶判断手段（ステップ２４）と、  この記憶判断手段の判断結果に基づいて、上記埋葬情報記憶手段の当該連絡先情報及び年月日情報を消去する（ステップ２５）ことを特徴とする請求項６記載の埋葬情報処理装置。  これにより、樹木を移転したあとの埋葬場所に新たな樹木を植えて新たな埋葬をして墓地の不足を解消できる。
【０１０６】
［８］上記移転された樹木の近景または遠景を撮影する撮影手段と、  この撮影手段で撮影された画像情報を記憶する画像記憶手段と、  上記連絡先情報に対応した連絡先からのアクセスか否かを判断するアクセス判断手段（ステップ３３）とをさらに備え、  このアクセス判断手段の判断結果に基づいて、上記画像記憶手段へのアクセスを許可するアクセス許可手段（ステップ３６〜３８）とを備えたことを特徴とする請求項７記載の埋葬情報処理装置。  これにより、墓は無くても連絡先の人は無くなった人とのつながりまたはお参りを長く継続できる。
【産業上の利用可能性】
【０１０７】
遺族などに負担をかけず、亡くなった人を長く弔う。墓地１１の墓地区画１３…に樹木１２…が植えられ、ここに遺骨が埋葬される。期間情報ＢＴが経過すると（ステップ０３〜０５）、樹木１２…を移転することが連絡先情報ＢＡに伝えられる（ステップ０６〜０９）。
【０１０８】
樹木１２…が移転されると、移転場所情報ＭＰと連絡先情報ＢＡとが対応されて移転情報メモリ２２に記憶され（ステップ２２）、埋葬情報メモリ２１の元の連絡先情報ＢＡと年月日情報ＢＤが消去される（ステップ２５）。
【０１０９】
連絡先から正しいパスワードＰＷでアクセスがあると（ステップ３１〜３３）、カメラ１５…の画像情報ＭＶが連絡先に配信されたり（ステップ３６〜３８）、樹木１２…の移転後の移転場所情報ＭＰが送られたり（ステップ４６〜４７）、樹木１２…の移転前の埋葬場所情報ＢＰが送られたりする（ステップ５４、５５）。
【図１】
0006348522.tif 000002
【図２】
0006348522.tif 000003
【図３】
0006348522.tif 000004
【図４】
0006348522.tif 000005
【図５】
0006348522.tif 000006
【図６】
0006348522.tif 000007
【図７】
0006348522.tif 000008
【図８】
0006348522.tif 000009